(57)【要約】      （修正有）【課題】栄養補給ラインへの液体経腸剤の供給源の口先端の接続を識別し、標準的ルア先端との密閉接続を阻止するアダプタを提供する。【解決手段】アダプタ（４１０、１４１０）は、第１、第２開口端を有する本体４５２と、第１開口端から本体へ延出する長手方向軸を有し、該本体の内壁４５６によって画定され、口先端を密閉して受容し、標準的ルア先端との密閉接続を阻止するサイズおよび形状の接続ポート４５４と、本体内の接続ポートから第２開口端へ延出する流体排出経路４６０Ａと、接続ポートの長手方向軸Ｌ３を概ね横断するように延出する横断面Ｐ１に角度付けられ、標準的ルア先端が接続ポート内に挿入される場合に、ルア先端が平坦接触しないようにする接触面４７２を有する、本体内の内側停止部４６８とを備える。【選択図】図２１
2010029652.tif 000002
【特許請求の範囲】
【請求項１】
栄養補給ラインへの液体経腸剤の供給源の口先端の接続を識別し、標準的ルア先端（４４）との密閉接続を阻止するアダプタ（４１０、１４１０）であって、
第１および第２の開口端を有する本体（４５２、１４５２）と、
該第１の開口端から該本体へ延出する長手方向軸を有する接続ポート（４５４、１４５４）であって、該本体の内壁（４５６、１４５６）によって画定され、口先端を密閉して受容し、かつ該標準的ルア先端との密閉接続を阻止するようなサイズおよび形状である、接続ポート（４５４、１４５４）と、
該本体内部の該接続ポートから該本体の該第２の開口端へ延出する流体排出経路（４６０Ａ、１４６０Ａ）と、
該接続ポートの該長手方向軸（Ｌ３）を概ね横断するように延出する横断面（Ｐ１）に対して角度付けられ、該標準的ルア先端が該接続ポート内に挿入される場合に、該ルア先端が、接触面と平坦接触しないようにする接触面（４７２、１４７２）を有する、該本体内の内側停止部（４６８、１４６８）と
を備えている、アダプタ。
【請求項２】
前記接触面（４７２、１４７２）は、平面にある、請求項１に記載のアダプタ。
【請求項３】
前記流体排出経路（４６０Ａ、１４６０Ａ）は、前記接触面（４７２、１４７２）において前記接続ポート（４５４、１４５４）に開口する、請求項１に記載のアダプタ。
【請求項４】
前記内壁（４５６、１４５６）は、弾性的に変形可能であり、前記接続ポート（４５４、１４５４）は、前記口先端の外側断面直径未満である断面直径を有する、請求項１に記載のアダプタ。
【請求項５】
前記本体（４５２、１４５２）の前記第１の開口部に概ね隣接する前記接続ポート（４５４、１４５４）を少なくとも部分的に囲む外側停止部（４８０、１４８０）をさらに備え、該外側停止部は、前記標準的雄型ルア先端が、前記入口ポートに挿入される場合に、該標準的ルア先端のルアロックスリーブにおいて該停止部の受容を阻止するようなサイズおよび形状を有する、請求項１に記載のアダプタ。
【請求項６】
前記外側停止部を通って半径方向に延出する流体放出チャネル（４７８）をさらに備えている、請求項５に記載のアダプタ。
【請求項７】
栄養補給チューブ（１４）と組み合わせる請求項１に記載のアダプタであって、該栄養補給チューブは、前記第２の開口端に隣接して、該アダプタの前記本体（４５２、１４５２）に固定され、該栄養補給チューブが、該アダプタ内の前記流体排出経路（４６０Ａ、１４６０Ａ）と流体連通するようにする、アダプタ。
【請求項８】
前記本体の前記長手方向端から離間した位置に、前記アダプタ本体（１４５２）を通って、概して半径方向に延出する前記接続ポート（１４５４）と流体連通する流体放出チャネル（１４７９）をさらに含む、請求項１に記載のアダプタ。
【発明の詳細な説明】
【技術分野】
【０００１】
本発明は、概して、識別口先端アダプタに関する。
【背景技術】
【０００２】
チューブとカテーテルとを間違って接続することは、病院において深刻な問題である。チューブとカテーテルとを間違って接続する誤りの１つのタイプとして、経腸栄養補給チューブおよび静脈内カテーテルが挙げられる。経腸栄養補給チューブは、栄養液剤および薬物を患者の胃腸系に直接投与するために使用される。対照的に、静脈内カテーテルは、栄養液剤および薬剤を患者の血管系に直接投与するために使用される。栄養補給溶液が、静脈内投与される場合、およびその逆の場合、患者は危害を被ることになる。このような誤りは、医療専門家が、類似または同一のチューブを異なる目的で使用することから発生する。例えば、ルアロック構成要素を含むルア先端は、機能的に異なるチューブまたはカテーテルの接続を可能にすることから、これらの誤りのうちの多くの一因となる。言い換えると、ルア先端は、栄養補給チューブのコネクタおよびアダプタに不適切に挿入され、潜在的に有害な結果をもたらし得る。
【０００３】
意図しない接続を回避するために、異なる医療機器のコネクタには、異なるサイズのコネクタが提供され得る。例えば、経腸栄養補給システムは、口先端（ｏｒａｌ  ｔｉｐ）接続用のサイズを有することが可能である。雄型口先端コネクタは、静脈内使用に一般的に見られる雌型ルアコネクタと接続できる状態になっていない。典型的には、雄型ルア先端コネクタは、雌型口コネクタと密閉接続可能ではない。
【発明の概要】
【課題を解決するための手段】
【０００４】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する長手方向軸を有する。接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。本体における内側停止部は、接続ポートの長手方向軸に対して概ね横断するように延出する横断面に対して角度付けられ、標準的ルア先端が接続ポートに挿入される場合に、ルア先端が、接触面と平坦接触しないようにする接触面を有する。
【０００５】
他の目的および特徴について、以下において部分的に明白になり、指摘される。
【０００６】
例えば、本発明は、以下の項目を提供する。
（項目１）
栄養補給ラインへの液体経腸剤の供給源の口先端の接続を識別し、標準的ルア先端（４４）との密閉接続を阻止するアダプタ（４１０、１４１０）であって、
第１および第２の開口端を有する本体（４５２、１４５２）と、
該第１の開口端から該本体へ延出する長手方向軸を有する接続ポート（４５４、１４５４）であって、該本体の内壁（４５６、１４５６）によって画定され、口先端を密閉して受容し、かつ該標準的ルア先端との密閉接続を阻止するようなサイズおよび形状である、接続ポート（４５４、１４５４）と、
該本体内部の該接続ポートから該本体の該第２の開口端へ延出する流体排出経路（４６０Ａ、１４６０Ａ）と、
該接続ポートの該長手方向軸（Ｌ３）を概ね横断するように延出する横断面（Ｐ１）に対して角度付けられ、該標準的ルア先端が該接続ポート内に挿入される場合に、該ルア先端が、接触面と平坦接触しないようにする接触面（４７２、１４７２）を有する、該本体内の内側停止部（４６８、１４６８）と
を備えている、アダプタ。
（項目２）
上記接触面（４７２、１４７２）は、平面にある、上記項目のいずれか１項に記載のアダプタ。
（項目３）
上記流体排出経路（４６０Ａ、１４６０Ａ）は、上記接触面（４７２、１４７２）において上記接続ポート（４５４、１４５４）に開口する、上記項目のいずれか１項に記載のアダプタ。
（項目４）
上記内壁（４５６、１４５６）は、弾性的に変形可能であり、上記接続ポート（４５４、１４５４）は、上記口先端の外側断面直径未満である断面直径を有する、上記項目のいずれか１項に記載のアダプタ。
（項目５）
上記本体（４５２、１４５２）の上記第１の開口部に概ね隣接する上記接続ポート（４５４、１４５４）を少なくとも部分的に囲む外側停止部（４８０、１４８０）をさらに備え、該外側停止部は、上記標準的雄型ルア先端が、上記入口ポートに挿入される場合に、該標準的ルア先端のルアロックスリーブにおいて該停止部の受容を阻止するようなサイズおよび形状を有する、上記項目のいずれか１項に記載のアダプタ。
（項目６）
上記外側停止部を通って半径方向に延出する流体放出チャネル（４７８）をさらに備えている、上記項目のいずれか１項に記載のアダプタ。
（項目７）
栄養補給チューブ（１４）と組み合わせる上記項目のいずれか１項に記載のアダプタであって、該栄養補給チューブは、上記第２の開口端に隣接して、該アダプタの上記本体（４５２、１４５２）に固定され、該栄養補給チューブが、該アダプタ内の上記流体排出経路（４６０Ａ、１４６０Ａ）と流体連通するようにする、アダプタ。
（項目８）
上記本体の上記長手方向端から離間した位置に、上記アダプタ本体（１４５２）を通って、概して半径方向に延出する上記接続ポート（１４５４）と流体連通する流体放出チャネル（１４７９）をさらに含む、上記項目のいずれか１項に記載のアダプタ。
【０００７】
（摘要）
口先端アダプタは、口先端を有するコネクタに識別的に接続するとともに、ルア先端を有するコネクタへの密閉接続を阻止することが可能である。アダプタは、ルア先端よりも大きいサイズの接続ポートを有する。また、アダプタは、ルア先端コネクタの端部との突き合わせ密閉を抑制するために、接続ポートにおいて傾斜型底面接触面を有する。
【図面の簡単な説明】
【０００８】
【図１】図１は、経腸栄養補給チューブのコネクタ組立体の斜視図であり、識別式口先端アダプタの第１の実施形態を含む。
【図２】図２は、図１の配向から回転したコネクタ組立体の斜視図である。
【図３】図３は、コネクタ組立体の拡大部分長手方向断面図である。
【図４】図４は、コネクタ組立体から分離された識別式口先端アダプタの第１の実施形態の拡大斜視図である。
【図５】図５は、図４の識別式口先端アダプタの側面図である。
【図６】図６は、図４の識別式口先端アダプタの上面図である。
【図７】図７は、図５の線７−７に沿った、識別式口先端アダプタの断面図である。
【図８】図８は、図６の線８−８に沿った、識別式口先端アダプタの断面図である。
【図９】図９は、図５の線９−９に沿った、識別式口先端アダプタの拡大断面図である。
【図１０】図１０は、コネクタ組立体と、コネクタ組立体のＹ字型ポートに収容される識別式口先端アダプタの拡大部分長手方向断面図である。
【図１１】図１１は、図１０に類似の図であり、識別式口先端アダプタに挿入される口先端注射器（断面図）を含む。
【図１２】図１２は、図１０に類似の図であり、識別式口先端アダプタに挿入されるルア先端注射器（断面図）を含む。
【図１２Ａ】図１２Ａは、図１２の識別式口先端アダプタに挿入されるルア先端注射器（断面図）の拡大図である。
【図１３】図１３は、図１０に類似の図であり、識別式口先端アダプタに接触するルアロック注射器（断面図）を含む。
【図１４】図１４は、識別式口先端アダプタの第２の実施形態の斜視図である。
【図１５】図１５は、図１４の識別式口先端アダプタの拡大長手方向断面図である。
【図１６】図１６は、図１４の識別式口先端アダプタの側面図である。
【図１７】図１７は、図１６の線１７−１７に沿った識別式口先端アダプタの断面図である。
【図１８】図１８は、識別式口先端アダプタの第３の実施形態の断面図である。
【図１９】図１９は、識別式口先端アダプタの第４の実施形態の断面図である。
【図２０】図２０は、識別式口先端アダプタの第５の実施形態の断面図である。
【図２１】図２１は、識別式口先端アダプタの第６の実施形態の断面図であり、また、透視的に注射器を示す。
【図２２】図２２は、識別式口先端アダプタの第７の実施形態の断面図である。
【図２３】図２３は、識別式口先端アダプタの第８の実施形態の断面図である。
【図２４】図２４は、識別式口先端アダプタの第９の実施形態の断面図の斜視図である。
【図２４Ａ】図２４Ａは、図２４のアダプタの上面図である。
【図２５】図２５は、識別式口先端アダプタの第１０の実施形態の断面図である。
【図２６Ａ】図２６Ａは、識別式口先端アダプタの第１１の実施形態の第１の例の断面図である。
【図２６Ｂ】図２６Ｂは、識別式口先端アダプタの第１１の実施形態の第２の例の断面図である。
【図２７】図２７は、識別式口先端アダプタの第１１の実施形態の第３の例の断面図である。
【図２８】図２８は、識別式口先端アダプタの第１２の実施形態の断面図である。
【図２９】図２９は、識別式口先端アダプタの第１３の実施形態の断面図である。
【図３０】図３０は、識別式口先端アダプタの第１４の実施形態の断面図である。
【図３１】図３１は、識別式口先端アダプタの第１５の実施形態の断面図である。
【図３２】図３２は、識別式口先端アダプタの第１６の実施形態の断面図である。
【図３３】図３３は、識別式口先端アダプタの第１７の実施形態の断面図である。
【図３４】図３４は、識別式口先端アダプタの第１８の実施形態の断面図である。
【図３５】図３５は、識別式口先端アダプタの第１９の実施形態の断面図である。
【図３６】図３６は、識別式口先端アダプタの第２０の実施形態の断面図である。
【０００９】
対応する参照文字は、図面において対応する部分を示す。
【発明を実施するための形態】
【００１０】
図面を参照すると、本発明は、送達デバイスと連結される口先端と密閉流体接続するように構成される識別式流体アダプタを対象とし、概して１０で示される。図１−図１３に示す第１の実施形態において、アダプタ１０は、概して１２で示され、栄養補給チューブ１４に固定されるコネクタ組立体の構成要素である。図１４−図１７に示す実施形態において、アダプタ１０は、小児用栄養補給チューブ等の栄養補給チューブに直接固定するように適合される。残りの実施形態は、第１または第２の実施形態のどちらかと同一の基礎構造を有する。アダプタ１０の他の構成も、本発明の範囲内にある。また、各実施形態に示す特徴を、他の実施形態の１つ以上の特徴と組み合わせてもよいことを理解されたい。
【００１１】
第１の実施形態、特に図１−図３を参照すると、コネクタ組立体１２は、概して、アダプタ１０の他に、主要部１６、および主要部と一体的に形成され、かつ主要部から側方に外側に延出するＹ字型ポート１８を備える。主要部１６およびＹ字型ポート１８は、図示する実施形態では、栄養補給ラインコネクタを形成する。図３を参照すると、主要部１６は、本体の長手方向軸Ｌ１に沿って延出する主要流体通路２２を含み、Ｙ字型ポート１８は、主要流体通路と流体連通するＹ字型ポートの長手方向軸Ｌ２に沿って延出する補助流体通路２４を含む。主要流体通路２２の上流長手方向端部縁は、液体経腸剤の主要源（図示せず）に連結して、その源を主要部に流動的に接続する雄型構成要素を収容するようなサイズおよび形状を有する。例えば、主要源は、液体経腸剤の可撓性袋、棘部付きコネクタ、および可撓性袋を棘付きコネクタに接続するチューブを備えてもよい。図示する実施形態では、上流長手方向端部縁における主要流体通路２２は、連続段付き部分２６ａ、２６ｂ（図３）を含み、これらの部分の断面直径のサイズは、棘付きコネクタを収容するように減少する。経腸栄養補給チューブ１４は、主要部１６を患者に流動的に接続するように主要部と概ね同軸方向である主要流体通路２２の下流端部縁内に固定される。
【００１２】
図１および図２を参照すると、主要部１６にストラップ３０によって繋がれる主要部用キャップ２８は、主要流体通路２２の上流端部において着脱可能に収容して、上流端部を閉じるようなサイズおよび形状を有する。キャップ２８は、環状で弾性的に変形可能なリブ３２を含み、このリブ３２は、主要流体通路２２における環状内部溝３４に収容され、解除可能にキャップを主要部１６に固定する。
【００１３】
図１−図３を参照すると、Ｙ字型ポート１８は、液体経腸剤の補助源（図示せず）からの雄型接続構成要素（図示せず）を、密閉流体接続にして収容するように構成される。例えば、補助流体通路２４は、洗浄用注射器のカテーテル先端を収容するように構成される。典型的には、カテーテル先端の外径は、口先端の外径よりも大きい。
【００１４】
図１、２および図４−図１３を参照すると、図示する実施形態のアダプタ１０は、コネクタ組立体１２のＹ字型ポート１８において密閉かつ解除可能に接続し、口先端４０の密閉接続を可能にするように構成され、この口先端４０は、補助流体通路を介して栄養補給チューブ１４に液体経腸剤を送達するように、第１の補助送達デバイス（例えば、口先端注射器４２）をＹ字型ポートに連結する（図１１）。口先端４０との密閉流体接続を形成することに加え、アダプタ１０は、第２の補助送達デバイス４６の標準的ルア先端４４（例えば、図１２および図１２ａに示すルアスリップ注射器）との密閉接続を阻止し、また、第３の補助送達デバイス５０（例えば、図１３に示すルアロック注射器）の標準的ルアロック構成要素４８との密閉接続を阻止するように構成される。このように、口先端を有する送達デバイス（例えば、注射器）のみが、アダプタ１０と適合する。図示する実施形態では、標準的ルア先端は、ＩＳＯ５９４−１：１９８６および５９４−２：１９９８において国際標準化機構（ＩＳＯ）によって規定された仕様を有し、先端の自由端において、６％のテーパおよび断面外径を含み、この先端は、剛性材料では約３．９２５ｍｍ（０．１５４インチ）から約３．９９０ｍｍ（０．１５７インチ）の間の寸法を有し、半剛性材料では約３．９２５ｍｍ（０．１５４インチ）から約４．０２７ｍｍ（０．１５９インチ）の間の寸法を有する。また、本明細書において定義するように、口先端の断面外径は、標準的ルア先端の断面直径よりも大きい。図面において、アダプタ１０が、比較的少量の液体経腸剤の患者への送達にアダプタ１０を使用することが想定されるため、送達デバイスは、注射器として示される。例えば、口先端注射器４２を介して液剤を栄養補給チューブ１４に送達する際にアダプタ１０を使用してもよい。しかしながら、送達デバイスが、注射器以外のデバイスであってもよいことを理解されたい。
【００１５】
アダプタ１０は、Ｙ字型ポート１８にストラップ５３によって繋がれる本体５２を含む（図１および図２）。アダプタ本体５２は、第１の開口端部および第２の開口端部の間に延出する長手方向軸Ｌ３（図４）を有する。密閉流体接続して口先端４０を収容するための略円筒形の接続空洞またはポート５４（図１１−図１３）は、本体５２の内壁５６によって画定される。接続ポート５４は、第１の開口端から本体５２に延出する。接続ポート５４と流体連通している流体排出経路６０は、接続ポートから本体５２の第２の開口端に延出する。図１０に示すように、アダプタ本体５２の第２の開口端は、コネクタ組立体１２のＹ字型ポート１８に収容するようなサイズおよび形状を有し、アダプタの流体排出経路６０が、補助流体通路２４と流体連通するようにする。第２の開口端近傍のアダプタ本体５２の周囲に延出する環状リブ６２は、アダプタ１０をＹ字型ポートに解除可能に接続するように、Ｙ字型ポート１８の内部環状内溝６４に収容可能である。環状リブ６２および溝６４の両方は、解除可能な接続を可能にするように、弾性的に変形可能であるが、アダプタをＹ字型ポートに解除可能に接続可能にする他の方式は、本発明の範囲内にある。アダプタ本体５２から外側に延出するタブ６６は、Ｙ字型ポート１８からアダプタ１０を取り外すために、医療施術者によって使用されてもよい（図４参照）。
【００１６】
前述され、かつ図１１に示すように、接続ポート５４は、口先端注射器４２の口先端４０を密閉流体接続して収容するようなサイズおよび形状を有する。一実施形態では、接続ポート５４（より具体的には、接続ポートを画定する本体５２の内壁５６）は、本体５２の長手方向軸Ｌ３に対して、半径方向に（すなわち、膨張可能に）、弾性的に変形可能である。本実施形態では、接続ポート５４の断面直径は、口先端４４の断面外径よりも小さく、接続ポートを画定する内壁５６が弾性的に変形し、かつ口先端を緊密に係合して、密閉接続を形成してもよい。図１２を参照すると、接続ポート５４は、標準的ルア先端４４がポートに挿入される場合に、このルア先端が、ポートと密閉しないようなサイズおよび形状も有する。より具体的には、接続ポート５４の断面直径は、標準的ルア先端４４の外径よりも大きく、ルア先端が、ポート５４を画定する本体５２の内壁５６を密閉係合しないようにする。
【００１７】
図示する実施形態では、接続ポート５４の断面直径は、口先端４０が接続ポートに挿入し易くするように、アダプタ本体５２の第１の開口端から本体５２内部のポートの端部へ向かってテーパ状になる。一例において、接続ポート５４は、５度のテーパ、少なくとも約７．６２ｍｍ（０．３００インチ）の長さ、および約４．７０ｍｍ（０．１８５インチ）から約５．２１ｍｍ（０．２０５インチ）の間の寸法を有し、本体の第１の開口端に隣接する断面直径を有してもよい。本体５２内部のポートの端部における接続ポート５４の断面直径は、約４．０６ｍｍ（０．１６０インチ）以上であることが好ましい。接続ポート５４は、本発明の範囲内にある他のサイズおよび形状を有してもよい。アダプタ本体４２の内壁５６に密閉係合する口先端４０の一部分のみが、密閉接続の形成に十分であってもよいことを理解されたい。
【００１８】
図６−図１３を参照すると、アダプタ１０は、概して６８で示され、本体５２内部における接続ポート５４の端部と隣接する内側停止部を含み、さらに、ルア先端４４および流体排出経路６０間の密閉流体連通を阻止する。一般に、内側停止部６８は、ルア先端が接続ポート５４に挿入されて、停止部に対して押圧される場合に、ルア先端４８が、内側停止部と密閉突き合わせ接続を形成しないように構成される。図示する実施形態では、内側停止部６８は、略環状であり、接続ポート５４および流体排出経路６０間の中央開口部を画定する。チャネル７０は、ルア先端４４との密閉突き合わせ接続を阻止するために、停止部６８の接触面７２において形成される。より具体的には、停止部６８の表面における一対の直径方向に対向するチャネル７０は、停止部を通って半径方向に延出する。接触面７２の平面におけるチャネル７０の全突出面積は、接触面の表面積よりも小さい。「突出面積」は、図６に示すチャネルの表面積であることが明白である。接触面７２が平面でない場合、接触面の平面は、長手方向軸Ｌ３に対して横断する最適な平面である。チャネル７０の幅は、半径方向外側に張り出す。実際、チャネル７０によって、ルア先端４４は、内側停止部６８に平坦に接触しない。ルア先端との密閉接触を阻止するために内側停止部６８の表面を作製する他の方式は、本発明の範囲内にある。接触面７２が、接続ポート５４の長手方向軸に対して概ね横断して延出する横断面に対して角度を有し、表面が、概して、接続ポートの長手方向軸に対して傾斜するようにしてもよいことが想定される。
【００１９】
使用中、ルア先端４４が接続ポート５４に挿入されて、液体が、ルア先端からアダプタ１０に送達されると、液体は、半径方向外側に、内側停止部６８における半径方向チャネル７０を通って、接続ポートを通り、ルア先端および内壁５６の間の空間を通って（図１２Ａにおける矢印参照）流れる。次いで、液体は、第１の開口端においてアダプタ１０から漏出し、密閉接続されていないことをユーザに示す。対照的に、口先端４０が接続ポート５４に挿入されると、送達される液体は、アダプタ１０から漏出しない（口先端が内側停止部６８と突き合わせ密閉を形成せずに、一部の液体がチャネル７０から流出し、一部の液体が、チャネル７０から流出しても、口先端が接続ポートにおいて密閉されて、液体が口先端および内壁５６間を流れることができないからである）。
【００２０】
図４−図８および図１３を参照すると、アダプタ１０は、アダプタ本体５２の第１の開口端に概ね隣接する外側停止部７６も含み、アダプタ本体と、ルアロック注射器５０のルアロック構成要素またはスリーブ４８との間の密閉接続を阻止する。図示する実施形態では、外側停止部７６は、略環状であり、アダプタ本体５２の第１の開口端において接続ポート５４を囲む。停止部７６が環状以外であってもよいことを理解されたい。停止部７６の外径は、ルアロック注射器５０ルアロックスリーブ４８の内径よりも大きく、停止部が、ルアロックスリーブ内に嵌合しないようにする（図１３）。このようにして、ルアロックスリーブ４８は、アダプア１０に密閉接続できない。一例として、外側停止部７６の外径は、約８．４６ｍｍ（０．３３３インチ）以上であってもよく、一実施形態では、外径は、約８．５９ｍｍ（０．３３８インチ）の寸法を有する。外側停止部７６は、本発明の範囲内にある形状およびサイズを有してもよい。
【００２１】
ルアロックスリーブ４４との密閉嵌合接続を阻止することに加え、外側停止部７６は、スリーブが、停止部との密閉突き合わせ接続を阻止するように構成される。図示する実施形態では、少なくとも１つの流体放出チャネル７８が、ルアロックスリーブ４８と接触する外側停止部７６の接触面８０において形成される。放出チャネル７８は、外側停止部７６を通って、接続ポート５４からアダプタ１０の外部まで、長手方向軸Ｌ３に対して半径方向に延出する。外側停止部７６の接触面８０の平面における放出チャネル７８の突出面積（図６に示される）は、接触面の表面積よりも小さい。チャネル７８の幅は、半径方向外側に張り出す。実際に、放出チャネル７８によって、液体は、ルアロックスリーブ４８の使用の際、接続ポート５４から脱出（すなわち、漏出）する。あるいは、ルアロックスリーブ４８が、外側停止部７６と密閉突き合わせ接続する場合、液体が接続ポート５４から流出するのを阻止し得る。図示する実施形態では、放出チャネル７８は、半径方向外側に張り出し、接触面８０から下方に延出する傾斜側壁８２（図４）を有する。接続ポート５４と流体連通する流体放出通路を提供する他の方法は、本発明の範囲内にあり、停止部７６の表面から外側に延出する突出部を含む。また、外側停止部７６の接触面８０以外の他の位置に開口部を形成してもよいことが想定される。例えば、および本明細書において後述の実施形態に関してより詳細に説明するように、通路は、接続ポート５４からアダプタ本体５２を通って半径方向に延出してもよい。
【００２２】
図１および図２を参照すると、コネクタ組立体１２は、アダプタ１０をＹ字型ポート１８に繋ぐストラップ５３に、ストラップ８８によって繋がれるアダプタプラグ８６をさらに含む。プラグ８６は、接続ポート５４に挿入して、ポートを閉じるようなサイズおよび形状を有する。
【００２３】
図示する実施形態のコネクタ組立体１２は、単体一体型構造として形成されてもよい。一例として、コネクタ組立体１２は、約７０から約８５の間のデュロメータを有するＰＶＣ等の、弾性的に変形可能なプラスチックを使用して、射出成形によって形成されてもよいが、コネクタ組立体は、他の硬度を有してもよく、ポリプロピレンもしくはポリカーボネートもしくはウレタン等の他の熱可塑性エラストマー、またはシリコーンもしくはゴム等の熱硬化材料等の、他の材料から作製されてもよい。代替として、コネクタ組立体１２の構成要素のうちの１つ以上は、別々に形成されてもよい。アダプタ１０は、口先端４０のサイズの変動を可能にするように変形可能であってもよい。
【００２４】
図１４−図１７を参照すると、識別式流体アダプタの第２の実施形態が、概して１０で示される。本実施形態は、図１−図１３に図示する実施形態に類似するため、類似構成要素は、対応する参照番号によって示される。本アダプタ１０は、本アダプタが栄養補給チューブ１４に直接固定され、かつコネクタ組立体の一部ではないという点において、第１の実施形態とは異なる。第１の実施形態と同様に、本アダプタ１０は、接続ポート５４、流体排出経路６０、半径方向チャネル７０を含む内側停止部６８、および半径方向チャネル７８を含む外側停止部７６を含む。流体排出経路６０は、栄養補給チューブ１４が固定されるチューブ接続部分６０Ａを有する。また、アダプタ１０は、概して９２で示され、ストラップ９４によってアダプタに繋がれるアダプタ用キャップを含む。アダプタ用キャップ９２は、アダプタ用プラグ８６（第１の実施形態のプラグと類似する）と、アダプタ上に収容されるプラグを囲むスカート部９６とを含む。タブ９８は、キャップをアダプタ１０から取り外すためにキャップ９２から外側に延出する。
【００２５】
図１８を参照すると、アダプタの第３の実施形態が、概して１１０で示される。本実施形態は、図１４−図１７に図示する第２の実施形態に類似するため、類似構成要素は、対応する参照番号に１００を加えた参照番号によって示される（例えば、チャネル１７０および接触面１７２）。第２の実施形態と本アダプタ１１０との違いは、第２の実施形態におけるテーパ状接続ポート５４とは違って、本アダプタにおける接続ポート１５４が、実質的に均一の断面を有することにある。言い換えると、接続ポート１５４の断面直径は、アダプタ本体１５２の第１の開口端に概ね隣接する箇所から、本体内部のポートの端部まで均一である。接続ポート１５４の直径は、口先端４０との密閉接続を提供し、標準的ルア先端４４との密閉接続を阻止する。例えば、接続ポート１５４は、一実施形態では、約４．１９ｍｍ（０．１６５インチ）から約５．０８ｍｍ（０．２００インチ）の間、好ましくは、約４．４５ｍｍ（０．１７５インチ）の長さに沿って均一の直径を有する。２つの実施形態に関する他の特徴は、実質的に同一である。
【００２６】
図１９を参照すると、アダプタの第４の実施形態が、概して２１０で示される。本実施形態は、図１４−図１７に図示する第２の実施形態に類似するため、類似構成要素は、対応する参照番号に２００を加えた参照番号によって示される。第２の実施形態と本アダプタ２１０との違いは、本アダプタにおける接続ポート２５４の上部２５４Ａだけが、その長さに沿ってテーパ状であるが、下部２５４Ｂは一定直径を有することにある。より具体的には、接続ポート２５４の上部２５４Ａの断面直径は、アダプタ本体２５２の第１の開口端に隣接する箇所から、第１の開口端と本体内部のポートの端部との間の中間位置までテーパ状になる。接続ポート２５４の下部２５４Ｂの断面直径は、中間位置から本体２５２内部のポートの端部まで実質的に均一である。標準的ルア先端を介して送達された液体は、標準的ルア先端４０が接続ポート２５４を画定する内壁２５６と密閉しないため、アダプタ本体２５２の第１の開口部から漏出する。さらに、口先端を介して送達された液体は、口先端４０が接続ポート２５４を画定する内壁２５６と密閉するため、アダプタ本体２５２の第１の開口部から漏出しない。一例として、上部２５４Ａは、５度のテーパ、少なくとも約７．６２ｍｍ（０．３００インチ）の長さ、および本体の第１の開口端に隣接する箇所において約４．７０ｍｍ（０．１８５インチ）から約５．２１ｍｍ（０．２０５インチ）の間から、中間位置において約４．０６ｍｍ（０．１６０インチ）以上にテーパ状になる断面直径とを有する。下部２５４Ｂは、約４．０６ｍｍ（０．１６０インチ）以上の断面直径と、約５．０８ｍｍ（０．２００インチ）以上の長さとを有してもよい。
【００２７】
図２０を参照すると、アダプタの第５の実施形態が、概して３１０で示される。本実施形態は、図１４−図１７に図示する第２の実施形態に類似するため、類似構成要素は、対応する参照番号に３００を加えた参照番号によって示される。第２の実施形態と本アダプタ３１０との違いは、本アダプタにおける接続ポート３５４の、第１の開口端から本体３５２内部の端部へ延出する長さが、本体内の接続ポートの端部への標準的ルア先端４４による接触を阻止するのに十分であることにある。注射器の外筒は、外側停止部３７６の接触面３８０に係合し、ルア先端４４が底面に到達することを阻止する。さらに、アダプタ３１０は、接続ポート３５４の長さが、標準的ルア先端４４と本体３５２内部のポート３５４の端部との間の密閉接続を阻止するため、内側停止部を含まない。したがって、標準的ルア先端を介して送達された液体は、標準的ルア先端４０が、接続ポート３５４を画定する内壁３５６と密閉しないため、アダプタ本体３５２の第１の開口部から漏出し、図２０に示すように、放出チャネル３７８は、注射器の外筒が、外側停止部３７６の接触面３８０に係合する際に、接続ポートから液体を流出可能にする間隙を提供する。さらに、口先端を介して送達された液体は、口先端４０が、接続ポート３５４を画定する内壁３５６と密閉するため、アダプタ本体３５２の第１の開口部から漏出しない。一例として、接続ポート３５４の長さは、約１２．７０ｍｍ（０．５００インチ）を超えてもよい。接続ポート３５４は、本発明の範囲内にある他の長さを有してもよいが、上記領域の長さの各々は、全てではないが大部分の種類および銘柄の現在市販の標準的ルア先端が、本体２５２内部のポート２５４の端部に接触するのを阻止するのに十分な長さであることが考えられる。しかしながら、標準的ルア先端４４の長さが、ＩＳＯ５９４−１および５９４−２に基づき標準化されていないため、万が一、現在または今後の種類または銘柄の標準的ルア先端４４の長さが、本体３５２内部のポート３５４の端部に接触するのに十分な長さである場合、アダプタ３１０が、内側停止部を含んで、追加の予防策を提供してもよいことが想定される。
【００２８】
図２１を参照すると、アダプタの第６の実施形態が、概して４１０で示される。本実施形態は、第２の実施形態に類似するため、類似構成要素は、対応する参照番号に４００を加えた参照番号によって示される。第２の実施形態と本アダプタ４１０との違いは、本アダプタ４１０の内側停止部４６８の接触面４７２が、本体２５２内部のポート２５４の端部と同一の外延を持つことにある。停止部４６８は、チャネルを含まないが、代わりに、接触面４７２は、ポート４５４の長手方向軸Ｌ３に対して概ね横断して延出する横断面Ｐ１に対して角度Ａ１で延出する平面にある。標準的ルア先端４４は、構成要素が接続ポート２５４に挿入される場合に、角度付き接触面４７２と平坦接触しない。図２１に示すように、標準的ルア先端４４の自由端の一部のみが、角度付き接触面４７２の一部分に接触し（ルア先端がポート内で傾いたとしても）、標準的ルア先端の端部の残りの部分と、接触面の残りの部分との間に空隙を残す。したがって、標準的ルア先端４４を介して送達された液体は、標準的ルア先端が、接続ポート４５４を画定する内壁４５６と密閉しないため、アダプタ本体４５２の第１の開口端から漏出する。口先端４０を介して送達された液体は、口先端が、接続ポート４５４を画定する内壁４５６と密閉するため、アダプタ本体４５２の第１の開口端から漏出する。一例として、角度Ａ１は、横断面に対して約５度から約３０度の間であってもよく、より好ましくは、約１０度から約２０度の間、また、より好ましくは、約１０度から１５度の間であってもよい。
【００２９】
別の実施形態では、内側停止部４８０は、平面Ｐ１に対して角度Ａ１で延出する。内側停止部４６８は、前述のように構成可能であるか、または図２０に示すように、ルア先端との任意の予測される接触を上回って低下させることが可能である。これは、本明細書に記載の機能が、本発明に従うＩＶルア先端の密閉係合の無効を所望するように、「組み合わせおよび一致」可能な方法の別の例である。
【００３０】
図２２を参照すると、アダプタの第７の実施形態が、概して５１０で示される。本実施形態は、図２１に図示する第６の実施形態に類似するため、類似構成要素は、対応する参照番号に１００を加えた参照番号によって示される。第６の実施形態と本アダプタ５１０との違いは、内側停止部５６８と同一の外延を持つ接触面５７２に角度が付けられていないが、横断面Ｐ１と同平面上にあることである。さらに、接続ポート５５４の端部に隣接する流体排出経路５６０の開口部５６０Ａは、接続ポートの長手方向軸Ｌ３と心合しない。代わりに、流体排出経路５６０の開口部５６０Ａは、接続ポート５５４の長手方向軸Ｌ３に対して相殺され、標準的ルア先端４４がポートに挿入されると、ルア先端の流体通路４４Ａは、流体排出経路開口部に流体連通しないか、または開口部と部分的にだけ流体連通する。いずれの場合も、ルア先端４４は、開口部５６０Ａの周囲全体と密閉不可能であり、ルア先端の周囲のポート５５４の経路が、常に開放される。対照的に、口先端（図示せず）が接続ポート５５４に挿入される場合、口先端は、接触面５７２と接触する前に内壁４５６と密閉し、口先端が、流体排出経路と流体連通する停止部から長手方向に離間される。したがって、標準的ルア先端を介して送達された液体は、標準的ルア先端４０が、接続ポート５５４を画定する内壁５５６と密閉不可能であるため、アダプタ本体５５２の第１の開口端から漏出し、一方、口先端４０を介して送達された液体は、口先端が、その外周全体の周囲の内壁５５６と密閉するため、アダプタ本体５５２の第１の開口端から漏出する。
【００３１】
図示する実施形態では、接続ポート５５４およびチューブ接続部分５６０Ａ間の流体排出経路５６０の上流部分の長手方向軸Ｌ４は、接続ポート５５４の長手方向軸Ｌ３に概ね平行である。流体排出経路の上流部分の長手方向軸Ｌ４が、開口部５６０Ａから離隔して、接続ポート５５４の長手方向軸Ｌ３側に角度付けられるように、流体排出経路５６０を形成してもよいことが想定される。
【００３２】
図２３を参照すると、アダプタの第８の実施形態が、概して６１０で示される。本実施形態は、第７の実施形態に類似するため、類似構成要素は、対応する参照番号に１００を加えた参照番号によって示される。第７の実施形態と本アダプタ６１０との違いは、本アダプタが、内側停止部６６８の接触面６７２上に、アダプタ本体６５２の第１の開口端側に突出する裁頭円錐形のプラグ６７７をさらに含むことにある。プラグ６７７の長手方向軸Ｌ５は、接続ポート６５４の長手方向軸Ｌ３と概ね心合する。図２３に示すように、プラグ６７７は、ルア先端が接続ポート６５４に挿入される場合に、ルア先端４４の流体通路４４Ａに収容するようなサイズおよび形状を有する。ルア先端４４が接続ポート６５４に挿入されると、裁頭円錐形のプラグ６７７のテーパ形状は、プラグを流体通路４４Ａに導く。プラグ６７７は、標準的ルア先端を介して液体が送達されることを阻止する。好ましくは、接続ポート６５４は、口先端（図示せず）が、プラグ６７７から離間した位置（すなわち、プラグ６７７の上）で接続ポート６５４を画定する内壁６５６と密閉するようなサイズおよび形状を有する。このように、プラグ６７７は、構成要素が接続ポート６５４に挿入される場合に、口先端に入らない。
【００３３】
図２４および図２４Ａを参照すると、アダプタの第９の実施形態が、概して７１０で示される。本実施形態は、第２の実施形態に類似するため、類似構成要素は、対応する参照番号に７００を加えた参照番号によって示される。第２の実施形態と本アダプタ７１０との違いは、本アダプタの接続ポート７５４が、アダプタ本体７５２の第１の開口端において略円形または略楕円形の断面から、アダプタ本体内部のポートの端部において凸状多角形（例えば、正方形または長方形）の断面に移行することにある。接続ポート７５４のこのような上部７５４Ａは、円形断面を有し、下部７５４Ｂは正方形断面を有する。凸状多角形断面は、より小さな境界付けられる範囲を有し、実際に、口先端（図示せず）が接続ポート７５４に挿入される際に、円形または楕円形の断面から凸状多角形断面への移行によって、漏出を阻止するために密閉摩擦ばめ接続が形成されるようにする。一実施形態では、凸状多角形断面は、ルア先端（図示せず）が凸状多角形断面と密閉しないようなサイズおよび形状を有する。図示する実施形態では、アダプタ７１０は、チャネル７７０および接触面７７２を有する停止部７６８を含み、接続ポート７５４の底面とのルア先端の突き合わせ密閉をさらに阻止するようにするが、凸状多角形断面が、密閉接続の阻止および漏出の促進に十分であるため、停止部およびチャネルは任意であることが想定される。
【００３４】
図２５を参照すると、アダプタの第１０の実施形態が、概して８１０で示される。本実施形態は、第２の実施形態に類似するため、類似構成要素は、対応する参照番号に８００を加えた参照番号によって示される。第２の実施形態と本アダプタ８１０との違いは、本アダプタが、接続ポート８５４内に固定され、かつ内側停止部として機能するインサート８６９を含むことにある。第２のインサートは、インサートをより詳細に図示するように、図２５においてアダプタ本体８５２から分解され、かつ斜視図で示される。インサート８６９は、アダプタ本体８５２に対して概ね弾性であり、標準的ルア先端４４が、アダプタ本体に押し込まれ、またはアダプタ本体を弾性的に変形し、ならびに流体密封を形成することを阻止するようにする。インサート８６９は、略環状であり、本体内部の接続ポート８５４の端部に隣接するアダプタ本体８５２の内壁８５６における環状溝８７１に収容される。インサート８６９は、オーバーモールドによって、および／または接着剤によって接続ポート８５４内に固定されてもよい。インサート８６９は、軸方向開口部８６９Ａおよび半径方向切り欠き部８６９Ｂを含む略開放環形状を有する。軸方向開口部８６９Ａの直径は、標準的ルア先端の自由端の断面直径よりも小さく、ルア先端が開口部に入られないようにする。軸方向切り欠き部８６９Ｂは、標準的ルア先端および剛性インサート８６９間の突き合わせ密閉を阻止する。したがって、標準的ルア先端４４を介して送達された液体は、標準的ルア先端が、接続ポート８５４を画定する内壁８５６と密閉しないため、アダプタ本体８５２の第１の開口端から漏出する。口先端を介して送達された液体は、口先端が、接続ポート８５４を画定する内壁８５６と密閉するため、アダプタ本体８５２の第１の開口端から漏出しない。インサート８１０は、他の形状およびサイズを有してもよく、他の方式で接続ポート８５４内に固定されてもよい。
【００３５】
図２６Ａおよび図２６Ｂを参照すると、アダプタの第１１の実施形態が、概して９１０で示される。本実施形態は、第１０の実施形態に類似するため、類似構成要素は、対応する参照番号に１００を加えた参照番号によって示される。第１０の実施形態と本アダプタ９１０との違いは、本アダプタにおけるインサート９６９が、異なる形状を有し、流体排出経路９６０から長手方向に離間されることにある。本実施形態におけるインサート９６９は、ルア先端４４の断面直径よりも直径が小さい軸方向開口部９６９Ａと、軸方向開口部から半径方向に離間した複数の離間半径方向切り欠き部９６９Ｂとを有する。図２６Ａにおける矢印が示すように、流体排出経路９６０からインサートを離間することによって、ルアロック構成要素４４により送達された液体の少なくとも一部は、軸方向開口部９６９Ａを通って、インサートおよび流体排出経路間の空間に流れ、空間内において半径方向に流れ、半径方向切り欠き部９６９Ｂを通って流れ、ルア先端および接続ポート９５４を画定する内壁９５６間を流れ、アダプタ本体９５２の第１の開口端においてアダプタ９１０を抜け出る。口先端４０を介して送達された液体は、口端部が、接続ポート９５４を画定する内壁９５６と密閉しないため、アダプタ本体９５２の第１の開口端から漏出しない。
【００３６】
インサート９１０が、図２５における構成および図２６Ｂおよび図２７に示す構成を含む他の構成を有してもよいことを理解されたい。図２６Ｂにおけるインサート１０１０は、Ｘ字形状を有し、軸方向開口部を含まない。液体は、Ｘ字型インサート１０６９のアーム間を流れる。図２７のインサート１１６９は、略円筒形であり、インサートの内面から半径方向内側に延出する離間リブ１１７３を含む。リブ１１７３は、ルア先端がインサート１１６９と密閉接続することを阻止する長手方向チャネル１１６９Ａを画定する。また、インサートが、流体排出経路側に長手方向に突出し、かつ接続ポートの端部と接触する脚部を有してもよいことも理解されたい。インサートの他の構成は、本発明の範囲内にある。
【００３７】
図２８を参照すると、アダプタの第１２の実施形態が、概して１２１０で示される。本実施形態は、第１０の実施形態に類似するため、類似構成要素は、対応する参照番号に４００を加えた参照番号によって示される。第１０の実施形態と本アダプタ１２１０との違いは、本アダプタのインサート１２６９が、透水性材料から形成されていることにある。透水性インサート１２６９は、略環状であり、軸方向開口部１２６９Ａを含む。軸方向開口部１２６９Ａの直径は、標準的ルア先端の自由端の断面直径よりも小さく、ルア先端が接触面１２７２に接触し、軸方向開口部に入られないようにする。ルア先端が、接続ポート１２５４に挿入され、液体がルア先端を介して送達されると、液体は、透水性インサート１２６９を通って半径方向に流れ、アダプタ本体１２５２の第１の開口端から漏出する。口先端を介して送達された液体は、口端部が、接続ポート１２５４を画定する内壁１２５６と密閉するため、アダプタ本体１２５２の第１の開口端から漏出しない。
【００３８】
図２９を参照すると、アダプタの第１３の実施形態が、概して１３１０で示される。本実施形態は、第２の実施形態に類似するため、類似構成要素は、対応する参照番号に１３００を加えた参照番号によって示される。第２の実施形態と本アダプタ１３１０との違いは、放出チャネルが外側停止部１３７６の接触面１３８０に形成されることとは対照的に、本アダプタが、接続ポート１３５４からアダプタ本体１３５２を通って概ね半径方向に延出する放出開口部１３７９を有することにある。本実施形態では、放出開口部１３７９は、アダプタ本体１３５２の第１の開口端から長手方向に離間される。構成要素が接続ポート１３５４に挿入されて、内壁１３５６と密閉されると、口先端は、放出開口部１３５２を通過して延出する。ゆえに、使用中、口先端は、放出開口部１３７９と流体連通していない。ルア先端４４を使用して液体を送達する場合、液体の少なくとも一部は、先行の実施形態において液体がチャネル１３７０を通って放出チャネルから流出するのと同じように、放出開口部１３７９から流出する。さらに、ルアロックスリーブをルア先端とともに使用する場合、ルアロックスリーブは、液体が放出開口部１３７９から漏出することを阻止しない。アダプタ１３１０が２つ以上の放出開口部１３７９含んでもよいことが想定される。
【００３９】
本アダプタ１３１０の放出開口部１３７９が、放出チャネルの代わりに、本明細書に記載の他の実施形態のいずれかに組み込まれるか、または本明細書に明示的に開示されない他のアダプタに組み込まれてもよいことが想定される。例えば、図３０を参照すると、アダプタの第１４の実施形態が、概して１４１０で示される。このアダプタ１４１０は、本質的に、第６の実施形態および第１４の実施形態の組み合わせである。アダプタ１４１０は、第６の実施形態のような角度付き接触面と、第１４の実施形態のような、放出チャネルの代わりの放出開口部１４７９とを有する。
【００４０】
図３１を参照すると、アダプタの第１５の実施形態が、概して１５１０で示される。本実施形態は、第１の実施形態に類似するため、類似構成要素は、対応する参照番号に１５００を加えた参照番号によって示される。第１の実施形態とアダプタ１５１０との違いは、本アダプタが、接続ポート内部の接触面にチャネルを含まず、代わりに、本アダプタが、流体排出経路１５６０において、標準的ルア先端構成要素を介して送達された液体を流体排出経路から流出するのを阻止する弁を含むことにあり、概して１５９０で示される。図示する実施形態では、弁１５９０は、流体排出経路を通って延出する茎部１５９０Ａを含む。茎部１５９０Ａの第１の端部から半径方向外側に延出する傘状密閉部１５９０Ｂは、アダプタ本体外側のアダプタ本体１５５２の第２の開口端を密閉する。傘状密閉部１５９０Ｂは、弾性的に変形可能な円板状構成要素を備える。茎部１５９０Ａの第２の端部から半径方向外側に延出する段部１５９０Ｃは、接続ポート１５５４に収容され、弁１５９０を流体排出経路１５６０内に固定する。段部１５９０Ｃは、液体が流体排出経路１５６０に通過可能にする半径方向細隙１５９０Ｄを有する。
【００４１】
使用中、標準的ルア先端１５４４が、不適切に接続ポート１５５４に挿入され、液体が、ルア先端を介して送達される場合、傘状密閉部１５９０Ｂは、液体が流体排出経路を抜け出すことを阻止し、液体は、アダプタ本体１５５２の第１の開口端側に流れ、放出チャネル１５７８から流出する。口先端１５４０が接続ポート１５５４に挿入され、液体が口先端を介して送達される場合、標準的ルア先端とは違って、口先端は本体１５５２の内壁１５５６と密閉されるため、液体圧は高まり、液体が、口先端および内壁間を流れることは不可能である。傘状密閉部１５９０Ｂ上の圧力により、傘状密閉部の周縁が、外側に反転（すなわち、弾性的に変形）するか、またはアダプタ本体１５５２の第２の開口部から離脱される。したがって、液体は、傘状密閉部１５９０Ｂおよびアダプタ本体１５５２の第２の開口端間を通過する。
【００４２】
図３２を参照すると、アダプタの第１６の実施形態が、概して１６１０で示される。本実施形態は、第１の実施形態に類似するため、類似構成要素は、対応する参照番号に１６００を加えた参照番号によって示される。第１の実施形態とアダプタ１６１０との違いは、本アダプタにおけるチャネル１６７０が、概して、内側停止部１６６８を通るスプライン切断として形状付けられることにある。スプライン切断チャネル１６７０は、第１の実施形態におけるチャネルと実質的に同じように機能する。
【００４３】
図３３を参照すると、アダプタの第１７の実施形態が、概して１７１０で示される。本実施形態は、第１の実施形態に類似するため、類似構成要素は、対応する参照番号に１７００を加えた参照番号によって示される。第１の実施形態とアダプタ１７１０との違いは、第２のアダプタが、アダプタ本体１７５２内の接続ポート１７５４の端部においてバッフル板１７５１を含むことにある。バッフル板１７５１は、アダプタ本体１７５２の外側から半径方向内側に延出し、流体排出経路１７６０から接続ポートを密閉するために、接続ポート１７５４内に重複または当接する。口先端が、接続ポート１７５４に挿入されると、構成要素は、アダプタ本体１７５２が半径方向に弾性的に拡張するように内壁１７５６に係合する。バッフル板１７５１は、アダプタ本体１７５２が半径方向に拡張する際に、相互に離間するように半径方向に移動し、接続ポート１７５４および流体排出経路１７６０は、流体連通し、口先端を介して送達された液体は、流体排出経路を通って流れる。対照的に、標準的ルア先端が、接続ポート１７５４に挿入されると、ルア先端の直径が、本体の内壁１７５６に係合しないため、アダプタ本体１７５２は、半径方向に弾性的に拡張しない。したがって、バッフル板１７５１は、重複構成または当接構成のままであり、接続ポート１７５４は、流体排出経路１７６０から密閉されたままである。ルア先端を介して送達された液体は、アダプタ本体１７５２の第１の開口端に向かって、放出チャネル１７７８を通って流れる。
【００４４】
図３４を参照すると、アダプタの第１８の実施形態が、概して１８１０で示される。本実施形態は、第１７の実施形態に類似するため、類似構成要素は、対応する参照番号に１３００を加えた参照番号によって示される。第１７の実施形態とアダプタ１８１０との違いは、本アダプタが、接続ポート１８５４の長手方向軸からオフセットされる２つ以上の流体排出経路１８６０を有することにある。
【００４５】
図３５を参照すると、アダプタの第１９の実施形態が、概して１９１０で示される。本実施形態は、第１０の実施形態に類似するため、類似構成要素は、対応する参照番号に１１００を加えた参照番号によって示される。第１０の実施形態とアダプタ１９１０との違いは、本アダプタが、アダプタ本体１９５２を通って接続ポート１９５４まで半径方向に延出するインサート１９６９を含むことにある。図示する実施形態では、インサート１９６９は、概ね剛性のシャフトを備える。したがって、標準的ルア先端４４を介して送達された液体は、標準的ルア先端が、接続ポート１９５４を画定する内壁１９５６と密閉不可能であるため、アダプタ本体１９５２の第１の開口端から漏出する。口先端４０を介して送達された液体は、口先端が、インサート１９６９の上で内壁１９５６と密閉するため、アダプタ本体１９５２の第１の開口端から漏出しない。
【００４６】
図３６を参照すると、アダプタの第２０の実施形態が、概して２０１０で示される。本実施形態は、第１の実施形態に類似するため、類似構成要素は、対応する参照番号に２０００を加えた対応する参照番号によって示される。第２の実施形態とアダプタ２０１０との違いは、本アダプタが、アダプタ本体２０５２に固定されるチューブ２０５５を含むことにある。チューブ２０５５は、ルア先端がアダプタ２０１０に挿入される場合に、ルア先端４４（図示せず）がアダプタと密閉することを阻止するスタンドオフとしての役割を果たす。チューブ２０５５は、アダプタ本体２０５２の内壁２０５６に固定される離間半径方向付属部材２０５７を含む。離間半径方向付属部材は、ポート２０５４および流体排出経路２０６０間の流体連通を可能にする半径方向開口部２０５９を画定する。チューブは、チューブを通って内部通路２０６３へ延出する少なくとも１つの開口部２０６１を含む。
【００４７】
（本発明に関する付記）
以下の記述は、発明であると考えられる本開示の追加の組み合わせを説明した。
【００４８】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体に延出する。接続ポートは、本体の内壁によって画定され、口先端を密閉して受容し、かつ標準的ルア先端との密閉接続を阻止するようなサイズおよび形状を有する。流出通路は、本体内部の接続ポートから、本体の第２の開口端へ延出する。本体の内側停止部は、接続ポートに挿入された標準的ルア先端と接触して、標準的ルア先端のさらなる挿入を停止させるように構成される接触面を有する。内側停止部は、接触面および標準的ルア先端間の突き合わせ密閉接続を阻止するように、接触面において概ね半径方向に延出するチャネルを有する。接触面の表面積は、接触面の平面におけるチャネルの突出範囲よりも大きいため、標準的ルア先端が接続ポートに挿入されて、内側停止部に接触する場合に、標準的ルア先端を介して送達される液体は、標準的ルア先端および内側停止部間に半径方向外側に流れ、標準的ルア先端および内壁間の接続ポート内を流れ、アダプタ本体の第１の開口部から抜け出る。
【００４９】
栄養補給ラインへの液体経腸剤の供給源の口先端の識別式接続用であって、ルアロックスリーブを含む標準的ルア先端との密閉接続を阻止するアダプタは、概して、第１および第２の開口長手方向端を有する本体を備える。接続ポートは、第１の開口端から本体に延出する。接続ポートは、口先端を密閉して受容し、かつ標準的ルア先端との密閉接続を阻止するようなサイズおよび形状を有する。流体排出経路は、本体内部の接続ポートから本体の第２の開口端部へ延出する。外側停止部は、本体の第１開口端に概して隣接する接続ポートを囲む。外側停止部は、標準的ルア先端のルアロックスリーブへの停止部の収容を阻止するようなサイズおよび形状を有する接触面を有し、標準的雄型ルア先端が第１の開口端を通って接続ポートに挿入される場合に、ルアロックスリーブが、概して、外側停止部に当接するようにする。外側停止部は、外側停止部を通って概ね半径方向に延出する接続ポートと流体連通する流体放出チャネルを有する。接触面は、接触面の平面における放出チャネルの突出面積よりも大きい表面積を有する。
【００５０】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端からアダプタ本体内の接続ポートの端部へ本体に延出し、接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。接続ポートの長さは、標準的ルア先端の長さよりも長いため、ルア先端は、アダプタ本体内の接続部の端部まで延出しない。
【００５１】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する長手方向軸を有する。接続ポートは、本体の内壁によって画定され、口先端を密閉して受容し、かつ標準的ルア先端との密閉接続を阻止するようなサイズおよび形状を有する。本体の内側停止部は、接続ポートに挿入された標準的ルア先端と接触して、標準的ルア先端のさらなる挿入を停止させる接触面を有する。流体排出経路は、本体内部の接続ポートから本体の第２の開口端に延出する。流体排出経路は、接続ポートの長手方向軸と心合しない長手方向軸を有する。
【００５２】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する。接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。接続ポートに収容されたインサートは、接続ポートに挿入された標準的ルア先端と接触して、標準的ルア先端のさらなる挿入を停止させるように構成される接触面を有する。インサートは、接触面および標準的ルア先端間の突き合わせ密閉接続を阻止するために、接触面において開口部を有する。標準的ルア先端が、接続ポートに挿入されて、内側停止部に接触する場合に、標準的ルア先端を介して送達される液体は、標準的ルア先端およびインサート間で半径方向外側に流れ、標準的ルア先端および内壁間の接続ポート内を流れ、アダプタ本体の第１の開口部から抜け出る。
【００５３】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する。接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。接続ポートに収容されたインサートは、接続ポートに挿入された標準的ルア先端と接触して、標準的ルア先端のさらなる挿入を停止させるように構成される接触面を有する。インサートは、概ね多孔性材料から形成されるため、標準的ルア先端が、接続ポートに挿入されて、内側停止部に接触する場合に、標準的ルア先端を介して送達される液体は、インサートにおいて半径方向外側に流れ、標準的ルア先端および内壁間の接続ポート内を流れ、アダプタ本体の第１の開口部から抜け出る。
【００５４】
栄養補給ラインへの液体経腸剤の供給源の口先端の識別式接続用であって、ルアロックスリーブを含む標準的ルア先端との密閉接続を阻止するアダプタは、概して、第１および第２の開口長手方向端を有する本体を備える。接続ポートは、第１の開口端から本体に延出する。接続ポートは、口先端を密閉して受容し、かつ標準的ルア先端との密閉接続を阻止するようなサイズおよび形状を有する。流体排出経路は、本体内部の接続ポートから本体の第２の開口端部へ延出する。接続ポートと流体連通する流体放出チャネルは、本体の長手方向端部から離間した位置においてアダプタ本体を通って概ね半径方向に延出する。
【００５５】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する。接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。本体の第２の開口端における傘状弁は、標準的ルア先端が接続ポートに挿入されて、液体が標準的ルア先端を介して供給される場合に、第２の開口端を通る液体の流れを阻止する。
【００５６】
栄養補給ラインへの液体経腸剤の供給源の口先端の識別式接続用の、標準的ルア先端との密閉接続を阻止するアダプタは、概して、第１および第２の開口端を有する弾性的に変形可能な本体を備える。接続ポートは、第１の開口端から本体へ延出する。接続ポートは、本体の内壁によって画定され、口先端を密閉して受容し、かつ標準的ルア先端との密閉接続を阻止するようなサイズおよび形状を有する。弾性的に変形可能な本体は、口先端が接続ポートに挿入される場合に、半径方向に拡張するように適合される。流体排出経路は、本体内部の接続ポートから本体の第２の開口端へ延出する。バッフルは、アダプタ本体を通って接続ポートに半径方向に延出する。バッフルは、接続ポートが流体排出経路から密閉される閉鎖型構成に偏向される。バッフルは、口先端が接続ポートに挿入される場合に、半径方向に移動し、かつ開放するように構成される。
【００５７】
栄養補給ラインへの液体経腸剤の供給源の口先端の識別式接続用の、標準的ルア先端との密閉接続を阻止するアダプタは、概して、第１および第２の開口端を有する本体を備える。接続ポートは、第１の開口端から本体へ延出する。接続ポートは、本体の内壁によって画定され、口先端を密閉して受容し、かつ標準的ルア先端との密閉接続を阻止するようなサイズおよび形状を有する。流体排出経路は、本体内部の接続ポートから本体の第２の開口端へ延出する。細長いインサートは、アダプタ本体を通って接続ポートへ半径方向に延出し、流体排出経路から離間される。インサートは、ルア先端と接触し、ルア先端が接続ポートに挿入される場合に、ルア先端のさらなる挿入を阻止するように構成される。
【００５８】
本発明またはその好適な実施形態の要素を紹介する際、冠詞の「ある」、「その」、および「前記」は、要素のうちの１つ以上が存在することを意味するように意図される。用語の「備える」、「含む」、および「有する」は、包含的であり、かつ列挙された要素以外の追加の要素が存在し得ることを意味する。さらに、「上部」および「下部」等の配向に関する用語は、便宜的に使用され、記載の物の任意の特定の配向を決定しない。さらに、本明細書に提供される寸法は、単に例示的であり、本発明の範囲を限定するように意図されない。
【００５９】
本発明の範囲を逸脱することなく、種々の変更を上記構造物、製品、および方法に加えてもよいことから、上記説明に含まれ、かつ付随の図面に図示される全ての事項は、例証的であると解釈され、限定的な意味で解釈されないものとすることが意図される。
【図１】
2010029652.tif 000003
【図２】
2010029652.tif 000004
【図３】
2010029652.tif 000005
【図４】
2010029652.tif 000006
【図５】
2010029652.tif 000007
【図６】
2010029652.tif 000008
【図７】
2010029652.tif 000009
【図８】
2010029652.tif 000010
【図９】
2010029652.tif 000011
【図１０】
2010029652.tif 000012
【図１１】
2010029652.tif 000013
【図１２】
2010029652.tif 000014
【図１２Ａ】
2010029652.tif 000015
【図１３】
2010029652.tif 000016
【図１４】
2010029652.tif 000017
【図１５】
2010029652.tif 000018
【図１６】
2010029652.tif 000019
【図１７】
2010029652.tif 000020
【図１８】
2010029652.tif 000021
【図１９】
2010029652.tif 000022
【図２０】
2010029652.tif 000023
【図２１】
2010029652.tif 000024
【図２２】
2010029652.tif 000025
【図２３】
2010029652.tif 000026
【図２４】
2010029652.tif 000027
【図２４Ａ】
2010029652.tif 000028
【図２５】
2010029652.tif 000029
【図２６Ａ】
2010029652.tif 000030
【図２６Ｂ】
2010029652.tif 000031
【図２７】
2010029652.tif 000032
【図２８】
2010029652.tif 000033
【図２９】
2010029652.tif 000034
【図３０】
2010029652.tif 000035
【図３１】
2010029652.tif 000036
【図３２】
2010029652.tif 000037
【図３３】
2010029652.tif 000038
【図３４】
2010029652.tif 000039
【図３５】
2010029652.tif 000040
【図３６】
2010029652.tif 000041
【外国語明細書】
2010029652000001.pdf